(57)【要約】【課題】雨水侵入の防止を図りつつ屋根板材の形状の単純化、製造・施工のコスト低減を図る。【解決手段】屋根葺きに際しては、屋根板部材３１０を並べて縦葺きし、その継箇所を継箇所被覆部材３３０で塞ぐ。こうすると、屋根板部材３１０の葺き板材３１２と継箇所被覆部材３３０の下方延出材３３４は折り返し部３３６の面に亘って面状に当接し、上部延出片３１８と上部延出片被覆材３３２にあっても面状に当接し、継箇所では、これら部材で囲まれた領域ＲＫが形成され、この領域ＲＫは屋根勾配に沿って棟側から軒側に延びる。屋根に降った雨水は、葺き板材３１２と折り返し部３３６の面状の当接箇所から領域ＲＫに侵入しがたいが、この領域ＲＫに雨水が浸入しても、その雨水は、屋根勾配に沿って棟側から軒側に延びる領域ＲＫに案内されて軒側に排出される。【選択図】        図３
2005030035.tif 000002
【特許請求の範囲】
【請求項１】
屋根外観をなすよう屋根組に縦葺きされる屋根板材において、
長尺状で所定幅の板材により形成され前記屋根組に敷設される葺き板材と、該葺き板材の幅方向両端において板材長手方向に亘って上方に突出した突出板状部とを有する屋根板部材と、
該屋根板部材が屋根の縦葺きのために複数枚敷設された状態で、隣り合う前記屋根板部材の継箇所を屋根の勾配に沿って覆い隠すための継箇所被覆部材とを備え、
前記屋根板部材は、
前記突出板状部の上端に、前記葺き板材と対向するよう側方に延出した上部延出片を有し、
前記継箇所被覆部材は、
前記継箇所において対向する前記突出板状部の上部延出片を前記葺き板材の板材長手方向に亘って上方から覆う上部延出片被覆材と、
該上部延出片被覆材の両端部から前記葺き板材の側に向けて下方に延出し、前記突出板状部と板材長手方向に亘って対向する下方延出材とを備え、
前記上部延出片への前記上部延出片被覆材の当接と、前記葺き板材への前記下方延出材の下端の当接の少なくとも一方の当接を起こすよう、前記屋根組に固定されている屋根板材。
【請求項２】
請求項１記載の屋根板材であって、
前記屋根板部材は、前記葺き板材と前記突出板状部と前記上部延出板とを、金属鋼板の曲げ加工を経て備え、
前記継箇所被覆部材は、前記上部延出片被覆材とその両端の前記下方延出材とを、金属鋼板の曲げ加工を経て備える屋根板材。
【請求項３】
請求項２記載の屋根板材であって、
前記屋根板部材は、
前記上部延出片被覆材に当接した前記上部延出片の端部に、前記突出板状部と対向するよう下向きに折り返された折り返し片を曲げ加工を経て備え、
前記継箇所被覆部材は、
前記葺き板材に当接した前記下方延出材の下端に、前記葺き板材と重なるよう前記突出板状部の側に折り返された折り返し部を曲げ加工を経て備える屋根板材。
【発明の詳細な説明】
【０００１】
【発明の属する技術分野】
本発明は、屋根外観をなすよう屋根組に縦葺きされる屋根板材に関する。
【０００２】
【従来の技術】
従来より瓦に代わる屋根板材として各種の技術が提案されている（例えば、特許文献１参照）。
【０００３】
【特許文献１】
特開２００２−１７４００７号公報
【０００４】
【発明が解決しようとする課題】
この特許文献１では、雨水侵入の防止等の優れた利点を有する反面、両端に異なる形状の係合部を有することから、更なる改善が求められるに至った。つまり、雨水侵入の防止を図りつつ更なる形状の単純化、延いては製造・施工のコスト低減を図ることを目的とする。
【０００５】
【課題を解決するための手段およびその作用・効果】
上記した課題を解決するため、本発明の屋根板材は、
屋根外観をなすよう屋根組に縦葺きされる屋根板材において、
長尺状で所定幅の板材により形成され前記屋根組に敷設される葺き板材と、該葺き板材の幅方向両端において板材長手方向に亘って上方に突出した突出板状部とを有する屋根板部材と、
該屋根板部材が屋根の縦葺きのために複数枚敷設された状態で、隣り合う前記屋根板部材の継箇所を屋根の勾配に沿って覆い隠すための継箇所被覆部材とを備え、
前記屋根板部材は、
前記突出板状部の上端に、前記葺き板材と対向するよう側方に延出した上部延出片を有し、
前記継箇所被覆部材は、
前記継箇所において対向する前記突出板状部の上部延出片を前記葺き板材の板材長手方向に亘って上方から覆う上部延出片被覆材と、
該上部延出片被覆材の両端部から前記葺き板材の側に向けて下方に延出し、前記突出板状部と板材長手方向に亘って対向する下方延出材とを備え、
前記上部延出片への前記上部延出片被覆材の当接と、前記葺き板材への前記下方延出材の下端の当接の少なくとも一方の当接を起こすよう、前記屋根組に固定されていること
を特徴とする。
【０００６】
本発明の屋根板材では、複数の屋根板部材を屋根組に並べて屋根を縦葺きする。そうすると、隣り合う屋根板部材の継箇所では、それぞれの屋根板部材が葺き板材の幅方向端部に有する突出板部材が対向し、この両突出板状部の上端では、上部延出片が葺き板材と対向するよう側方に延出し、上部延出片は葺き板材の幅方向に左右に延びる。
【０００７】
継箇所被覆部材は、上部延出片が左右に延びた継箇所に設置され、その有する上部延出片被覆材により、継箇所において対向する突出板状部の上部延出片を葺き板材の板材長手方向に亘って上方から覆うと共に、上部延出片被覆材の両端部から葺き板材の側に向けて下方に延出した下方延出材を突出板状部と板材長手方向に亘って対向させる。そして、継箇所被覆材は、その一部である上部延出片被覆材を上部延出片に当接させ、或いは継箇所被覆部材の一部である下方延出材をその下端で葺き板材に当接させ、若しくは上記の両当接を起こして、屋根組に固定される。この場合、継箇所被覆材は、その上部延出片被覆材を上部延出片に当接させると共に、その下方延出材下端を葺き板材に当接させることが好ましい。
【０００８】
こうして屋根板部材の縦葺きの継箇所に継箇所被覆部材が設置されると、この継箇所では、屋根板部材の葺き板材とその端部の突出板状部と上部延出部材、並びに継箇所被覆部材の上部延出片被覆材とその端部の下方延出材で取り囲まれた領域（以下、説明の便宜上、葺き板材端部領域という）が形成され、屋根組の屋根勾配に沿って棟側から軒側に延びる。
【０００９】
上記構成の屋根板材で葺いた屋根に雨が降ると、その雨水は、継箇所被覆材の下方延出材下端と葺き板材との当接箇所から葺き板材端部領域に侵入することがあり得る。ところが、この葺き板材端部領域は、屋根組の屋根勾配に沿って棟側から軒側に延びている都合上、この領域内に侵入した雨水を低所へと屋根勾配に沿って導く樋の作用をなすことから、侵入雨水は軒側に排出される。よって、葺き板材端部領域が侵入雨水で満たされることは起きがたくなるので、葺き板材端部領域への侵入雨水が葺き板材両端の突出板状部とその上端から葺き板材と対向するよう延びた上部延出材を越えて継箇所に達しないようにすることが可能となる。特に、継箇所被覆材の上部延出片被覆材が上部延出片に当接していれば、侵入雨水はこの当接箇所を更に通ってからしか継箇所に達しないので、継箇所への雨水侵入はより確実に回避できることになる。
【００１０】
こうした雨水侵入回避を図るに当たっては、屋根板部材における葺き板材の両端を上方に突出した突出板状部とその上端から側方に延びた上部延出片からなるものとし、継箇所被覆部についても上部延出片被覆材とその両端で下方に延びた下方延出材とすればよいので、各部材の形状の単純化を図ることができる。そして、形状が単純であることから、その製造コストの低減が可能である。
【００１１】
また、こうした雨水侵入を回避するに当たっては、複数の屋根板部材による縦葺き設置と、その継箇所への継箇所被覆部材の設置を行えばよいことから、葺き作業が簡便となり施工コストの低減も可能である。しかも、施工後の屋根板材の回収も簡便となると共に、回収後の屋根板材をそのまま再利用できる。更には、屋根葺き施行現場での曲げ等の現場加工を必要とせず、より一層作業性が高まる。
【００１２】
なお、屋根板部材の所定幅は、屋根に使用する枚数を考えると、４５０ｍｍないし１２００ｍｍが好ましく、より好ましくは６００ｍｍから１０００ｍｍである。このような寸法であれば、取り扱いの上からも好ましい。また、上記した葺き板材端部領域の高さや幅、即ちこれらを規定する葺き板材端部の突出板状部の高さや継箇所被覆部材の上部延出片被覆材の幅寸法は、雨水の浸水を完全に防止するという観点から、高さについては５０ｍｍないし１５０ｍｍが好ましく、幅については１００ｍｍから２００ｍｍが好ましい。また、突出板状部上端の上部延出片については、その当接相手である上部延出片被覆部との当接長さを確保して雨水侵入の回避の実効性を高める上から、２５ｍｍから５０ｍｍ程度の幅とすることが好ましい。
【００１３】
上記した構成の屋根板材とするに当たっては、屋根板部材と継箇所被覆部材を金属より形成することが好ましく、上記したように形状が単純であることから、種々の手法でこれら部材を得ることができる。例えば、形状が単純であることから押出加工を採ることも可能であるほか、金属鋼板の曲げ加工を経て形成することもできる。こうした曲げ加工とすれば、生産性の観点からはもとより、コスト低減の点から好適である。なお、純度の高い鉄、チタン、ステンレス、アルミなどの鋼板を用いれば、耐久性の面からより好ましい。この場合、屋根板部材と継箇所被覆部材の板厚としては、いわゆるそりや不用意な変形を回避する上から、或いは重量の観点から、２ｍｍ〜６ｍｍであればよい。
【００１４】
また、屋根板部材については、上部延出片の端部を曲げ加工して下向きに折り返した折り返し片とし、当該折り返し片を突出板状部と対向させることもできる。こうすれば、折り返し片を、継箇所被覆材の上部延出片被覆材と上部延出片の当接箇所への雨水の侵入を妨げる遮蔽板とすることができる。このため、暴風雨等により雨水が継箇所被覆材の下方延出材下端から葺き板材端部領域に吹き込んで侵入したとしても、この吹き込み雨水を、折り返し片で遮蔽して葺き板材側に落とし、上部延出片被覆材と上部延出片の当接箇所に達しないようにできる。よって、継箇所への雨水侵入の回避の実効性を高めることができる。
【００１５】
こうすることに加え、継箇所被覆部材については、葺き板材に当接した下方延出材の下端を曲げ加工して突出板状部の側に折り返した折り返し部とすることもできる。こうすれば、葺き板材と当接して重なる範囲が増えるので、当該当接箇所を通過して葺き板材端部領域に侵入する雨水を少なくでき好ましい。
【００１６】
【発明の実施の形態】
以上説明した本発明の構成及び作用を一層明らかにするために、以下本発明の屋根について、その実施の形態を説明する。図１は実施例の屋根１００の全体構成を概略的に説明するための説明図である。まずこの図１を用いて、全体構成を説明する。
【００１７】
図示するように、本実施例の屋根１００は、切妻式の屋根組ＹＨを備え、この屋根組ＹＨの棟両側に所定の屋根勾配で左右の屋根葺材１１０Ｌ、１１０Ｒを取り付け、屋根両側の屋根葺材１１０Ｌ、１１０Ｒを棟において棟包み１２０で覆って構成される。屋根葺材１１０Ｌ、１１０Ｒは、屋根組ＹＨにおける左右の棟側垂木ＭＢから軒げたＮＢにかけて屋根を葺く。棟包み１２０は、屋根葺材１１０Ｌ、１１０Ｒを屋根幅に亘って覆い、屋根の棟外観を形成する。屋根組ＹＨは、棟側垂木ＭＢから軒げたＮＢに亘って屋根パネル材Ｎを隙間なく並べて掛け渡し、棟側垂木ＭＢ並びに屋根パネル材Ｎを、もや、小屋ばり、小屋づか、妻げた等を用いて、柱で支持する。
【００１８】
図２は屋根葺材１１０Ｌによる屋根葺きの様子を概略的に示す説明図、図３はその様子を詳細に示す要部概略斜視図、図４は屋根葺材１１０Ｌを構成する屋根板部材３１０の概略斜視図、図５は屋根板部材３１０の構成を説明するための説明図、図６は図４における６−６線断面を示す説明図、図７は屋根葺材１１０Ｌを構成する継箇所被覆部材３３０の概略斜視図、図８は図７における８−８線断面を示す説明図、図９は屋根の妻側における屋根葺きの様子を詳細に示す説明図である。屋根葺材１１０Ｒは、屋根葺材１１０Ｌと同一であり、その葺き側が異なるに過ぎない。
【００１９】
これら図面に示すように、屋根板部材３１０は、長尺状で所定幅の板材により形成され屋根パネル材Ｎに敷設される葺き板材３１２と、この葺き板材３１２の幅方向両端において板材長手方向に亘って上方に突出した左右の突出板状部３１４と、棟側で左右の突出板状部間を塞ぐ棟側端面板３１６とを有する。突出板状部３１４は、左右で同じ突出長さとされている。
【００２０】
屋根板部材３１０は、葺き板材３１２を屋根パネル材Ｎに平置きした状態とされ、葺き板材底面と屋根パネル材上面との摩擦力、および後述する継箇所被覆部材３３０による押し下げにより、屋根パネル材Ｎに対してズレを起こさない。
【００２１】
屋根板部材３１０は、突出板状部３１４の上端から葺き板材３１２と対向するよう側方に延出した上部延出片３１８と、この上部延出片３１８の端部から突出板状部３１４と対向するよう下向きに折り返された折り返し片３２０を有する。上記構成の屋根板部材３１０は、高純度の鉄、チタン、ステンレス、アルミなどの金属鋼板を用いて形成され、突出板状部３１４や上部延出片３１８、折り返し片３２０は、葺き板材３１２の両端に曲げ加工を行うことで形成されている。
【００２２】
棟側端面板３１６は、その上端に、向かい合う折り返し片３２０の間に入り込む棟側延出片３１７ａとその先端で下向きに折り返された棟側折り返し片３１７ｂとを備え、下端を葺き板材３１２から突出させている。この棟側端面板３１６は、葺き板材３１２および突出板状部３１４の棟側端面と水密に接合するよう、シームレス溶接等の手法で葺き板材３１２と一体とされている。なお、こうした接合・固定に際しては、Ｌ字型鋼等の補強具３１７ｃが適宜用いられる。
【００２３】
継箇所被覆部材３３０は、上記した屋根板部材３１０が図１ないし図３に示すように屋根の縦葺きのために複数枚敷設された状態で、隣り合う屋根板部材３１０の継箇所を屋根の勾配に沿って覆い隠す。この継箇所被覆部材３３０は、屋根板部材継箇所において対向する突出板状部３１４の上部延出片３１８を葺き板材３１２の板材長手方向に亘って上方から覆う上部延出片被覆材３３２と、当該上部延出片被覆材両端部から葺き板材３１２の側に向けて下方に延出し、突出板状部３１４と板材長手方向に亘って対向する下方延出材３３４と、当該下方延出材下端で葺き板材３１２と重なるよう突出板状部３１４の側に折り返された折り返し部３３６と、当該折り返し部先端から上方に設けて折り返され突出板状部３１４に対向する下端折り返し片３３８とを有する。この継箇所被覆部材３３０にあっても、既述した金属鋼板を用いて形成され、曲げ加工を経て形成される。この場合、継箇所被覆部材３３０の断面形状はその長手方向で変わるものではないので、押し出し成形手法にて製造することもできる。このほか、継箇所被覆部材３３０は、棟側に、上部延出片被覆材３３２の上面および両側面から突出した棟側突出片３３９を溶接・接着等の手法で固定して備える。
【００２４】
上記した葺き板材３１２、突出板状部３１４等を有する屋根板部材３１０は、その製造に当たり、突出板状部３１４などを展開させた幅Ｘが、例えば延べ板鋼板の成形幅と等しくされており、長さＹは施工する屋根の長さに合わせて曲げ加工され、施工現場に搬入される。本実施例では、葺き板材３１２の幅（屋根の葺き幅）を約９１０ｍｍ、突出板状部３１４の突出高さを約１５０ｍｍ、上部延出片３１８の幅を約３０ｍｍ、折り返し片３２０の折り返し長さを約１５ｍｍとした。
【００２５】
このように構成された屋根板部材３１０は、図１ないし図３に示すように、葺き板材３１２が屋根パネル材Ｎに重なるようにして配置され、隣り合う屋根板部材３１０の継箇所に、継箇所被覆部材３３０が被せられる。これにより、屋根は縦葺きされ、継箇所被覆部材３３０は、上部延出片被覆材３３２を屋根板部材３１０の上部延出片３１８に当接させると共に、左右の折り返し部３３６を隣り合う屋根板部材３１０におけるそれぞれの葺き板材３１２の上面に当接させる。こうして葺かれた屋根１００では、屋根板部材３１０および継箇所被覆部材３３０は、棟の側から屋根勾配θに沿って軒げたＮＢおよび屋根パネル材Ｎの軒側端面から突出する。
【００２６】
本実施例は、上記したように複数の屋根板部材３１０で屋根を縦葺きするものであるが、屋根の妻側では、その妻部における葺きの見栄えを高めるため、妻側被覆部材３４０を有する。図２および図９に示すように、この妻側被覆部材３４０は、既述した継箇所被覆部材３３０にＬ字状の妻側端面板３４２をシームレス溶接して構成される。この場合、妻側端面板３４２はその板厚が葺き板材３１２と同寸とされているので、妻側被覆部材３４０にあっても、上部延出片被覆材３３２を屋根板部材３１０の上部延出片３１８に当接させた状態で、左右の折り返し部３３６で支えられる。屋根の左側妻部では、この妻側被覆部材３４０をミラー反転させた構成の妻側被覆部材が用いられる。
【００２７】
屋根葺材１１０Ｒは、屋根葺材１１０Ｌとは屋根の葺き側が異なるだけであり、構成において屋根葺材１１０Ｌと異なるものではない。
【００２８】
ここで、屋根パネル材Ｎへの継箇所被覆部材３３０並びに妻側被覆部材３４０の固定の様子について説明する。図１０は継箇所被覆部材３３０の固定の様子を説明する説明図、図１１は妻側被覆部材３４０の固定の様子を説明する説明図である。
【００２９】
図示するように、継箇所被覆部材３３０は、上部延出片被覆材３３２の底面にボルト材３２１を有する。ボルト材３２１は、その上端で上部延出片被覆材３３２に溶接固定され、継箇所被覆部材３３０の長手方向（紙面に対する前後方向）に適宜間隔で設置されている。屋根パネル材Ｎには、このボルトピッチに併せて長穴状の貫通孔があけられており、継箇所被覆部材３３０は、この貫通孔にボルト材３２１が入り込むようにして設置され、ボルト下端に座金・ナットを組み込んで屋根パネル材Ｎに引っ張り固定される。これにより、継箇所被覆部材３３０の下方延出材３３４および折り返し部３３６を介して葺き板材３１２が押されるので、屋根板部材３１０は、葺き板材３１２における摩擦力と相まって、屋根パネル材Ｎに対して固定されることになる。妻側被覆部材３４０についても同様である。なお、ボルト先端は、ナットと共に木製の袋ナット３２２で覆い隠される。
【００３０】
上記したように継箇所被覆部材３３０を設置するに当たっては、その作業の簡便化を図るため、次のようにされている。図１０に示すように、継箇所被覆部材３３０では、対向する下端折り返し片３３８の間隔Ｔが継箇所における左右の屋根板部材３１０の折り返し片３２０の間隔ｔより広くされている。よって、屋根板部材３１０を縦葺きする際には、折り返し片３２０の間隔ｔが上記の間隔Ｔより狭くなるようにするだけで、その後の継箇所被覆部材３３０の設置は、継箇所被覆部材３３０を継箇所の上方から下降させるだけでよくなり簡便となる。なお、継箇所被覆部材３３０の間隔Ｔが折り返し片３２０間の間隔ｔとほぼ同じやこれより狭い場合には、継箇所被覆部材３３０の設置に当たっては、継箇所被覆部材３３０をその下方延出材３３４が撓むよう折り返し部３３６側をやや広げ、この状態で継箇所に降下させればよい。
【００３１】
屋根板部材３１０は、順次、縦葺きされ、隣接している屋根板部材３１０の継箇所は、上記したように継箇所被覆部材３３０で被覆される。この際、隣り合う屋根板部材３１０をネジや溶接などの機械的な結合手法で固定することは不要である。
【００３２】
次に、棟包み１２０について説明する。図１２は棟包み１２０を一部破断しつつ一部を拡大して示す概略斜視図、図１３は棟包み１２０の固定の様子並びに棟包み１２０と屋根板部材３１０の位置関係を説明する説明図である。
【００３３】
棟包み１２０は、既述したように屋根の棟外観を形成するものであることから、屋根勾配に適合した角度で屈曲形成された棟斜面板部１２１を備え、この棟斜面板部１２１の両端（つまり、屋根における妻側）を妻側遮蔽板１２２で塞いでいる。棟包み１２０は、棟斜面板部１２１の斜面先端を屈曲したスカート部１２３とし、このスカート部に複数の切欠１２４を有する。この切欠１２４は、葺き完了後の屋根葺材１１０Ｌ、１１０Ｒにおける継箇所被覆部材３３０のピッチに合わせて予め形成されている。よって、切欠１２４両側のスカート部１２３は、葺き完了後において隣り合う継箇所被覆部材３３０の間に、入り込むことになる。この場合、スカート部１２３は、その先端が葺き板材３１２と接触する、若しくは僅かな隙間を残すよう、その突出長さが調整されている。
【００３４】
切欠１２４は、その幅・高さを継箇所被覆部材３３０並びに妻側被覆部材３４０の外形寸法に併せて形成され、切欠周囲は、内側に屈曲した突出片１２４ａで囲まれている。従って、棟包み１２０を棟に設置すると、継箇所被覆部材３３０並びに妻側被覆部材３４０は、ほぼ隙なくその上面・両側面を切欠１２４の突出片１２４ａで覆われることになる。
【００３５】
また、棟包み１２０は、その頂上部裏面にコの字状の形鋼からなるボルト保持部材１２８を備え、当該保持部材で、屋根板部材３１０の棟側端面板３１６下端より下方に延びる長さの長尺ボルト１３０を固定・保持する。ボルト保持部材１２８は、図示しない屈曲形状の補強材と共にシームレス溶接等の手法で固定されている。なお、ボルト保持部材１２８並びに長尺ボルト１３０は、棟包み１２０を棟側垂木ＭＢの側に引っ張り固定するに足りる数だけ、棟包み１２０の長手方向に沿って設けられている（図１２参照）。
【００３６】
次に、上記した棟包み１２０の固定の様子について説明する。
図１３に示すように、屋根板部材３１０は、棟側端面板３１６を屋根パネル材Ｎの棟側端部よりも棟側とし、棟側端面板３１６下端を、左右の屋根パネル材Ｎ端面間に位置させる。この状態で棟包み１２０を屋根組ＹＨの棟まで持ち上げ、棟包み１２０を屋根の棟に向けて降ろし、長尺ボルト１３０が左右の棟側端面板３１６の間に入り込むようにして、棟包み１２０を載置する。この際、切欠１２４に継箇所被覆部材３３０および妻側被覆部材３４０が入り込むようよう、また、スカート部１２３が隣り合う継箇所被覆部材３３０の間に位置するようにする。次いで、断面コの字状の受け金１３１を左右の棟側端面板３１６下端に掛け渡し、当該受け金を長尺ボルト１３０に装着して、座金・ナットを長尺ボルト１３０に組み込む。そして、このナットを締め付けることで、棟包み１２０を下向きに引っ張り固定して、屋根の葺きを完了する。
【００３７】
葺き完了後では、図１３に示すように、棟包み１２０のスカート部１２３は、隣り合う継箇所被覆部材３３０の間にそれぞれ入り込み、棟側の棟側端面板３１６と対向する。つまり、葺き板材３１２の上面側では、棟包み１２０で覆われた範囲において、軒げた側から棟側にかけて、棟包み１２０下面のスカート部１２３と棟側端面板３１６が屋根勾配に沿ってこの順に並んで対向する。また、継箇所被覆部材３３０の上面および両側面上部では、スカート部１２３と棟側突出片３３９が屋根勾配に沿ってこの順に並んで対向する。
【００３８】
こうして葺かれた棟包み１２０や屋根葺材１１０Ｌ、１１０Ｒ（詳しくは屋根板部材３１０や継箇所被覆部材３３０、妻側被覆部材３４０のそれぞれ）の取り外し、回収、移設（リサイクル）に際しては、上記した葺き作業の逆の作業を行えばよい。つまり、まず、総ての長尺ボルト１３０からナットを外し、棟包み１２０を持ち上げて屋根組ＹＨから取り外す。次いで、それぞれの継箇所被覆部材３３０、妻側被覆部材３４０については、木製袋ナット３２２の取り外し、ボルト材３２１からのナット取り外しを行い、その後、継箇所被覆部材３３０、妻側被覆部材３４０および屋根板部材３１０を屋根パネル材Ｎから持ち上げればよい。
【００３９】
従って、以上説明した本実施例の屋根１００は、その葺き作業に関連して次の利点を有する。
（１）屋根板部材３１０を屋根パネル材Ｎに並べて載置した上で、その継箇所と妻側を継箇所被覆部材３３０、妻側被覆部材３４０で被覆するといった作業で、屋根葺きを行うことができ、屋根葺きの施工作業と移設・取り外し作業を簡便化することができる。しかも、隣接する屋根板部材３１０の載置にネジやなどの機械的な結合が不要であることも相まって、屋根葺きの施工作業等をより一層簡便なものとできる。
【００４０】
（２）棟包み１２０については、屋根両側の屋根板部材３１０の葺き後に、棟まで持ち上げて長尺ボルト１３０をナットで締め付け固定すればよい。よって、ボルト・ナットの締め付け・解除により、棟包み１２０の固定作業ばかりかその取り外し作業も簡略化することができる。特に、長尺ボルト１３０により棟包み１２０を棟側垂木ＭＢの側に引き寄せ固定するので、屋根パネル材Ｎ下面側から棟包み１２０の固定・取り外し作業を行える。このため、棟包み１２０の固定・取り外し作業をより一層簡略化できる。
【００４１】
ここで、本実施例の屋根１００が発揮する雨仕舞いについて説明する。
屋根に降り注いだ雨は、棟包み１２０の棟斜面板部１２１に沿って屋根左右に流れ落ち、棟包み１２０で覆われていない領域の屋根葺材１１０Ｌ、１１０Ｒに達する。この雨は、屋根葺材１１０Ｌ、１１０Ｒに直接降り注いだ雨と一緒に屋根勾配に沿って軒げた方向に流れ落ちる。強風を伴わずにほぼ上方から降り注いだ雨は、屋根勾配に逆らって屋根板部材１２上面を棟側に流れることはない。よって、棟包み１２０から雨を屋根葺材１１０Ｌ、１１０Ｒに流すことで、こうした雨に対しては棟において当然に好適な雨仕舞いを発揮する。
【００４２】
一方、台風等による強風を伴って降る雨（強風雨）は、屋根勾配に逆らって屋根板部材１２上面を棟側に流れようとすることがある。この雨は、棟包み１２０のスカート部１２３によりまず遮られ、棟側へは、スカート部１２３下端の僅かな間隙を通って浸入するに過ぎず、この浸入雨水の量は僅かしかない。ところで、スカート部１２３下端を通った浸入雨水は、屋根勾配に沿った重力を受けることから、自ずから屋根勾配に沿って流れ落ちようとする。このため、スカート部１２３下端を通った浸入雨水がスカート部１２３より上流側で貯め置かれるような事態は起きがたい。
【００４３】
風が極端に強い場合は、屋根勾配に逆らって流れるよう雨水に風が及ぼす力も大きくなるので、雨水は、スカート部１２３下端を通過後も、更に棟側に向けて流れる可能性もある。しかし、こうしてスカート部１２３を越えて棟側に流れようとする浸入雨水の量は、スカート部１２３による遮蔽並びに上記の重力の作用により減少する。そして、スカート部１２３を越えた浸入雨水は、このスカート部１２３よりも上方で葺き板材３１２上面から突出した棟側端面板３１６で改めて遮られる。
【００４４】
スカート部１２３を越えた浸入雨水が上記の棟側端面板３１６を越えて更に棟側に向けて流れることは、現実的に起き得ない。つまり、棟側端面板３１６を浸入雨水が越えるには、棟側端面板３１６の先端を乗り越えるに足りる嵩で、棟側端面板３１６の下方に雨水が貯まり、更にこの雨水貯まりに浸入雨水が流れ込む必要がある。しかし、浸入雨水の量は、既述したように、スカート部１２３を越えて棟側に流れようとする時点で減少し、重力の作用もあることから、棟側端面板３１６の下方の雨水貯まりの雨水嵩は少ない。しかも、棟側端面板３１６上端には棟側延出片３１７ａおよび棟側折り返し片３１７ｂがあることから（図３参照）、この棟側端面板３１６の側に勢いよく雨水が浸入したとしても、この浸入雨水は上記の棟側延出片３１７ａおよび棟側折り返し片３１７ｂで跳ね返される。このため、屋根勾配に沿って下方のスカート部１２３を越えた浸入雨水が、スカート部１２３より上方の棟側端面板３１６の上端を越えて更に棟側に向けて流れることは、起きがたい。
【００４５】
ところで、継箇所被覆部材３３０や妻側被覆部材３４０の上面および両側面と棟包み１２０の切欠１２４との隙間を通って、雨水が浸入することも考えられる。しかしながら、継箇所被覆部材３３０の上面では、スカート部１２３と棟側突出片３３９が、上記したスカート部１２３と棟側端面板３１６の関係で位置するので、継箇所被覆部材３３０の上面において侵入雨水が棟側に流れることは起きがたく、この侵入雨水は、継箇所被覆部材３３０の側面に沿って葺き板材３１２に流れ落ちる。妻側被覆部材３４０についても同様である。
【００４６】
また、棟包み１２０から屋根葺材１１０Ｌ、１１０Ｒに流れ落ちた雨や、屋根葺材１１０Ｌ、１１０Ｒに直接降り注いだ雨にあっても、次のようにして好適な雨仕舞いを発揮する。
【００４７】
隣り合う屋根板部材３１０を縦葺きし、その継箇所を継箇所被覆部材３３０で塞いだ状態では（参照；図３、図９、図１１、図１２）、図１０に示すように、屋根板部材３１０の葺き板材３１２と継箇所被覆部材３３０の下方延出材３３４は折り返し部３３６の面に亘って面状に当接し、上部延出片３１８と上部延出片被覆材３３２にあっても面状に当接する。こうした当接により、この継箇所では、屋根板部材３１０の葺き板材３１２とその端部の突出板状部３１４と上部延出片３１８、並びに継箇所被覆部材３３０の上部延出片被覆材３３２とその端部の下方延出材３３４で取り囲まれた領域ＲＫが形成され、この領域ＲＫは屋根勾配に沿って棟側から軒側に延びる。
【００４８】
葺き板材３１２は下方延出材３３４の折り返し部３３６と面状に当接していることから、屋根に降った雨水は、当該当接箇所から領域ＲＫに侵入しがたい。ところで、強風を伴う場合などでは、上記の当接箇所から雨水が領域ＲＫに侵入することがあり得る。ところが、この領域ＲＫは、屋根勾配に沿って棟側から軒側に延びている都合上、この領域内に侵入した雨水を低所へと屋根勾配に沿って導く樋の作用をなすことから、侵入雨水は軒側に排出される。よって、領域ＲＫが侵入雨水で満たされることは起きがたくなるので、領域ＲＫへの侵入雨水が葺き板材３１２端部の突出板状部３１４とその上端の上部延出片３１８を越えて継箇所に達しないようにすることが可能となる。しかも、本実施例では、上部延出片３１８が上部延出片被覆材３３２と面状に当接しているので、当該当接箇所を雨水が浸入することも起きがたくなり、継箇所への雨水侵入はより確実に回避できることになる。よって、この継箇所にまで雨水が浸入することは皆無に等しく、屋根板部材３１０の下方に位置する屋根パネル材Ｎの側への防水はほぼ完全に達成される。たとえ、雨量が多く屋根板部材３１０の葺き板材３１２上に雨水の層が出来ようとも、屋根勾配の傾斜閘で屋根板部材３１０は傾いているためにこの雨水の層の雨水は常に軒側に流れ落ち、この雨水の層が上記の領域ＲＫを満水とする事態が継続して発生する可能性はない。妻側被覆部材３４０による継箇所についても同様である。
【００４９】
このように雨水侵入を回避する上で、本実施例では、葺き板材３１２の両端で突出板状部３１４を突出させ、その上端からは側方に延びた上部延出片とし、継箇所被覆部材３３０についても上部延出片被覆材３３２とその両端で下方に延びた下方延出材３３４と折り返し部３３６とすればよい。よって、各部材の形状の単純化を図ることができるので、形状の単純化を通して、製造コストを低減できる。
【００５０】
また、屋根を葺く上では、複数の屋根板部材３１０の縦葺き設置と、その継箇所への継箇所被覆部材３３０の設置を行えばよいことから、葺き作業が簡便となり施工コストの低減も可能である。しかも、施工後の継箇所被覆部材３３０や屋根板部材３１０の回収も簡便となると共に、回収後のこれら屋根板材をそのまま再利用できる。更には、屋根葺き施行現場での曲げ等の現場加工を必要とせず、より一層作業性が高まる。
【００５１】
また、上部延出片３１８の端部に折り返し片３２０を折り曲げ形成したので、この折り返し片３２０を領域ＲＫに侵入した雨水が領域内部で跳ね返る際の遮蔽板として機能させることができる。よって、上部延出片３１８と上部延出片被覆材３３２の当接箇所への雨水侵入をより確実に回避できる。
【００５２】
しかも、継箇所被覆部材３３０のについては、葺き板材に当接した下方延出材の下端を曲げ加工して突出板状部の側に折り返した折り返し部とすることもできる。こうすれば、葺き板材と当接して重なる範囲が増えるので、当該当接箇所を通過して葺き板材端部領域に侵入する雨水を少なくでき好ましい。
【００５３】
以上、本発明の一実施形態を説明したが、本発明はこうした実施例に何等限定されるものではなく、本発明の要旨を逸脱しない範囲内において種々なる様態で実施し得ることは勿論である。
【図面の簡単な説明】
【図１】実施例の屋根１００の全体構成を概略的に説明するための説明図である。
【図２】屋根葺材１１０Ｌによる屋根葺きの様子を概略的に示す説明図である。
【図３】屋根葺材１１０Ｌによる屋根葺きの様子を詳細に示す要部概略斜視図である。
【図４】屋根葺材１１０Ｌを構成する屋根板部材３１０の概略斜視図である。
【図５】屋根板部材３１０の構成を説明するための説明図である。
【図６】図４における６−６線断面を示す説明図である。
【図７】屋根葺材１１０Ｌを構成する継箇所被覆部材３３０の概略斜視図である。
【図８】図７における８−８線断面を示す説明図である。
【図９】屋根の妻側における屋根葺きの様子を詳細に示す説明図である。
【図１０】継箇所被覆部材３３０の固定の様子を説明する説明図である。
【図１１】妻側被覆部材３４０の固定の様子を説明する説明図である。
【図１２】棟包み１２０を一部破断しつつ一部を拡大して示す概略斜視図である。
【図１３】棟包み１２０の固定の様子並びに棟包み１２０と屋根板部材３１０の位置関係を説明する説明図である。
【符号の説明】
１００…屋根
１１０Ｌ、１１０Ｒ…屋根葺材
１２０…棟包み
１２１…棟斜面板部
１２２…妻側遮蔽板
１２３…スカート部
１２４…切欠
１２４ａ…突出片
１２８…ボルト保持部材
１３０…長尺ボルト
１３１…受け金
３１０…屋根板部材
３１２…葺き板材
３１４…突出板状部
３１６…棟側端面板
３１７ａ…棟側延出片
３１７ｂ…棟側折り返し片
３１７ｃ…補強具
３１８…上部延出片
３２０…折り返し片
３２１…ボルト材
３２２…袋ナット
３２２…木製袋ナット
３３０…継箇所被覆部材
３３２…上部延出片被覆材
３３４…下方延出材
３３６…折り返し部
３３８…下端折り返し片
３３９…棟側突出片
３４０…妻側被覆部材
３４２…妻側端面板
ＭＢ…棟側垂木
Ｎ…屋根パネル材
ＲＫ…領域
ＹＨ…屋根組
【図１】
2005030035.tif 000003
【図２】
2005030035.tif 000004
【図３】
2005030035.tif 000005
【図４】
2005030035.tif 000006
【図５】
2005030035.tif 000007
【図６】
2005030035.tif 000008
【図７】
2005030035.tif 000009
【図８】
2005030035.tif 000010
【図９】
2005030035.tif 000011
【図１０】
2005030035.tif 000012
【図１１】
2005030035.tif 000013
【図１２】
2005030035.tif 000014
【図１３】
2005030035.tif 000015